(57)【要約】【課題】液晶ディスプレイ装置及びその駆動方法の提供。【解決手段】分極分布制御信号発生ユニットにより分極分布制御信号を発生させ、分極分布データドライバニットに出力させて分極分布制御信号により一組の非周期分極配列をディスプレイパネルに出力させ、これによりパネル中の画素ユニットの極性を非周期性分布とすることができるようにし、且つ複数のフレーム中にあって、半数量のフレームと残りの半数量のフレームが相補するものとし、半数量のフレーム中の全ての画素ユニットの極性と残りの半数量のフレームの極性が反対となるようにする。【選択図】        図３
2004309972.tif 000002
【特許請求の範囲】
【請求項１】
液晶ディスプレイ装置において、
複数の画素ユニットを具えたディスプレイパネルと、
複数の走査線で該ディスプレイパネルに連接されて走査信号をこれら走査線に出力してこれら画素ユニットの動作を制御する走査ユニットと、
分極分布制御信号を発生する分極分布制御信号発生ユニットと、
該分極分布制御信号を受け取り並びに複数のデータ線で該ディスプレイパネルに連接され、該分極分布制御信号に基づき一組の非周期分極配列をこれらデータ線に出力し、これら画素ユニットの分極に非周期性分布を形成させる分極分布データドライバと、
を具えたことを特徴とする、液晶ディスプレイ装置。
【請求項２】
請求項１記載の液晶ディスプレイ装置において、分極分布データドライバがフレーム中の画素のディジタル信号を保存する複数のサンプリング／保持レジスタを具えたことを特徴とする、液晶ディスプレイ装置。
【請求項３】
請求項１記載の液晶ディスプレイ装置において、分極分布データドライバが複数のサンプリング／保持レジスタ、複数のディジタル・アナログ変換器、複数の増幅器及び複数の分極セレクタを具え、これらサンプリング／保持レジスタの出力がこれらディジタル・アナログ変換器の入力端に連接され、且つこれらディジタル・アナログ変換器の出力がこれら増幅器の出力端に連接され、これら分極セレクタが分極分布制御信号によりこれら増幅器の出力信号を選択することを特徴とする、液晶ディスプレイ装置。
【請求項４】
請求項３記載の液晶ディスプレイ装置において、増幅器がプラス分極信号或いはマイナス分極信号を出力することを特徴とする、液晶ディスプレイ装置。
【請求項５】
請求項１記載の液晶ディスプレイ装置において、分極分布データドライバが複数のサンプリング／保持レジスタ、複数のディジタル・アナログ変換器、複数の分極セレクタ及び複数の増幅器を具え、これらサンプリング／保持レジスタの出力がこれらディジタル・アナログ変換器の入力端に連接され、且つこれらディジタル・アナログ変換器の出力が直接これら分極セレクタに連接され、これら分極セレクタが分極分布制御信号によりこれらディジタル・アナログ変換器の出力信号を選択し、続いてこれら増幅器により増幅処理してデータ線に出力することを特徴とする、液晶ディスプレイ装置。
【請求項６】
請求項１記載の液晶ディスプレイ装置において、分極分布制御信号発生ユニットと分極分布データドライバがディスプレイパネルの表示する複数のフレームを制御する時、そのうち半数のフレーム中の画素ユニットの分極が残りの半数のフレーム中の画素ユニットの分極と反対とされることを特徴とする、液晶ディスプレイ装置。
【請求項７】
請求項１記載の液晶ディスプレイ装置において、ディスプレイパネルが液晶ディスプレイパネルとされたことを特徴とする、液晶ディスプレイ装置。
【請求項８】
液晶ディスプレイの駆動方法において、この方法はディスプレイパネルの分極制御に用いられ、該ディスプレイパネルが複数の画素ユニットを具え、この方法は、
分極分布制御信号を発生するシーケンス発生ステップと、
該分極分布制御信号により一組の非周期分極配列を出力する選択ステップと、
該非周期分極配列を該ディスプレイパネルに出力し、これにより該ディスプレイパネルの画素ユニットの分極を制御して非周期性配列を形成させ、並びに該ディスプレイパネルの表示する複数のフレームを制御する時、そのうち半数のフレーム中の画素ユニットの分極を残りの半数のフレーム中の画素ユニットの分極と反対となす、分極制御ステップと、
を具えたことを特徴とする、液晶ディスプレイの駆動方法。
【請求項９】
請求項８記載の液晶ディスプレイの駆動方法において、ディスプレイパネルが液晶ディスプレイパネルとされたことを特徴とする、液晶ディスプレイの駆動方法。
【発明の詳細な説明】
【０００１】
【発明の属する技術分野】
本発明は一種のフラットディスプレイに係り、特に、液晶ディスプレイ装置及びその駆動方法を指し、それは低温ポリシリコン（ＬＴＰＳ）薄膜トランジスタ液晶ディスプレイのソース駆動集積回路（Ｓｏｕｒｃｅ  ＩＣ）或いはシーケンスコントローラ、及び薄膜トランジスタ液晶ディスプレイのソース駆動集積回路或いはシーケンスコントローラの駆動回路中に応用される。
【０００２】
【従来の技術】
光電産業の発展に伴い、フラットディスプレイがＣＲＴスクリーンに取って代わった。現在のフラットディスプレイは多種類の異なる技術、例えば液晶ディスプレイ（ＬＣＤ）、薄膜トランジスタ液晶ディスプレイ（ＴＦＴ−ＬＣＤ）、或いは有機発光ディスプレイ（ＯＬＥＤ）により達成され、そのうち、液晶ディスプレイと薄膜トランジスタ液晶ディスプレイはバイアス電圧を利用して液晶分子の配列方向を制御し、これにより透光度を制御してグレースケールの色彩効果を形成する。
【０００３】
しかし、連続して同じ分極電圧を使用して液晶を駆動すると、長い時間が経つと、液晶に変形慣性が発生し、表示品質が悪くなる。現在電圧分極反転を制御する方法には多くの種類があり、以下に簡単に一般的な駆動構造について説明する。図１はディスプレイパネル１００が複数のフレームに分けられ、そのうち隣り合う二つのフレームエリア１１０、１２０、１３０、１４０の分極状態は反対であり、例えば、フレームエリア１１０の画素１１１はフレームエリア１２０の画素１２１及びフレームエリア１３０の画素１３１の分極状態と反対であり、フレームエリア１２０の画素１２２はフレームエリア１１０の画素１１２及びフレームエリア１４０の画素１４１の分極状況と反対である。このような方法により、フレームエリア１１０、１２０、１３０、１４０を基礎とし、ディスプレイパネル１００の縦列（Ｃｏｌｕｍｎ）信号が時分割多重駆動とされる時、特定パターン（Ｐａｔｔｅｒｎ）によりディスプレイパネル１００中のある分極の液晶駆動有効電圧の総和が別の分極よりはるかに大きくなると、クロストーク（Ｃｒｏｓｓｔａｌｋ）効果が発生しやすくなり、則ちディスプレイパネル１００中のあるエリアのフレームが近隣エリアの輝度に影響を与える現象により、画像品質が低下した。
【０００４】
図２はパネル２００の分極配列が垂直方向（データライン方向）にあって不規則変化するようにした方法であり、且つ隣り合う二つのエリアの分極が反対とされる。水平方向（ローライン方向）においてはプラスマイナスが隣り合う配列とされ、ゆえにパネル２００の縦列信号が時分割多重駆動とされる時、同様に特定パターンによりディスプレイパネル２００中のある分極の液晶駆動有効電圧の総和が別の分極よりはるかに大きくなると、クロストーク（Ｃｒｏｓｓｔａｌｋ）効果が発生しやすくなり、画像品質が低下した。
【０００５】
【発明が解決しようとする課題】
本発明の目的は、液晶ディスプレイ装置及びその駆動方法を提供し、それによりクロストーク効果を減らし、画像品質を向上することにある。
【０００６】
本発明の別の目的は、液晶ディスプレイ装置及びその駆動方法を提供し、それにより隣り合うフレームエリアの分極反転の状況を減らし、節電の機能を達成することにある。
【０００７】
【課題を解決するための手段】
請求項１の発明は、液晶ディスプレイ装置において、
複数の画素ユニットを具えたディスプレイパネルと、
複数の走査線で該ディスプレイパネルに連接されて走査信号をこれら走査線に出力してこれら画素ユニットの動作を制御する走査ユニットと、
分極分布制御信号を発生する分極分布制御信号発生ユニットと、
該分極分布制御信号を受け取り並びに複数のデータ線で該ディスプレイパネルに連接され、該分極分布制御信号に基づき一組の非周期分極配列をこれらデータ線に出力し、これら画素ユニットの分極に非周期性分布を形成させる分極分布データドライバと、
を具えたことを特徴とする、液晶ディスプレイ装置としている。
請求項２の発明は、請求項１記載の液晶ディスプレイ装置において、分極分布データドライバがフレーム中の画素のディジタル信号を保存する複数のサンプリング／保持レジスタを具えたことを特徴とする、液晶ディスプレイ装置としている。
請求項３の発明は、請求項１記載の液晶ディスプレイ装置において、分極分布データドライバが複数のサンプリング／保持レジスタ、複数のディジタル・アナログ変換器、複数の増幅器及び複数の分極セレクタを具え、これらサンプリング／保持レジスタの出力がこれらディジタル・アナログ変換器の入力端に連接され、且つこれらディジタル・アナログ変換器の出力がこれら増幅器の出力端に連接され、これら分極セレクタが分極分布制御信号によりこれら増幅器の出力信号を選択することを特徴とする、液晶ディスプレイ装置としている。
請求項４の発明は、請求項３記載の液晶ディスプレイ装置において、増幅器がプラス分極信号或いはマイナス分極信号を出力することを特徴とする、液晶ディスプレイ装置としている。
請求項５の発明は、請求項１記載の液晶ディスプレイ装置において、分極分布データドライバが複数のサンプリング／保持レジスタ、複数のディジタル・アナログ変換器、複数の分極セレクタ及び複数の増幅器を具え、これらサンプリング／保持レジスタの出力がこれらディジタル・アナログ変換器の入力端に連接され、且つこれらディジタル・アナログ変換器の出力が直接これら分極セレクタに連接され、これら分極セレクタが分極分布制御信号によりこれらディジタル・アナログ変換器の出力信号を選択し、続いてこれら増幅器により増幅処理してデータ線に出力することを特徴とする、液晶ディスプレイ装置としている。
請求項６の発明は、請求項１記載の液晶ディスプレイ装置において、分極分布制御信号発生ユニットと分極分布データドライバがディスプレイパネルの表示する複数のフレームを制御する時、そのうち半数のフレーム中の画素ユニットの分極が残りの半数のフレーム中の画素ユニットの分極と反対とされることを特徴とする、液晶ディスプレイ装置としている。
請求項７の発明は、請求項１記載の液晶ディスプレイ装置において、ディスプレイパネルが液晶ディスプレイパネルとされたことを特徴とする、液晶ディスプレイ装置としている。
請求項８の発明は、液晶ディスプレイの駆動方法において、この方法はディスプレイパネルの分極制御に用いられ、該ディスプレイパネルが複数の画素ユニットを具え、この方法は、
分極分布制御信号を発生するシーケンス発生ステップと、
該分極分布制御信号により一組の非周期分極配列を出力する選択ステップと、
該非周期分極配列を該ディスプレイパネルに出力し、これにより該ディスプレイパネルの画素ユニットの分極を制御して非周期性配列を形成させ、並びに該ディスプレイパネルの表示する複数のフレームを制御する時、そのうち半数のフレーム中の画素ユニットの分極を残りの半数のフレーム中の画素ユニットの分極と反対となす、分極制御ステップと、
を具えたことを特徴とする、液晶ディスプレイの駆動方法としている。
請求項９の発明は、請求項８記載の液晶ディスプレイの駆動方法において、ディスプレイパネルが液晶ディスプレイパネルとされたことを特徴とする、液晶ディスプレイの駆動方法としている。
【０００８】
【発明の実施の形態】
本発明の特色によると、一種の液晶ディスプレイ装置が提供され、それは、複数の画素ユニットを具えたディスプレイパネルと、複数の走査線で該ディスプレイパネルに連接されて走査信号をこれら走査線に出力してこれら画素ユニットの動作を制御する走査ユニットと、分極分布制御信号を発生する分極分布制御信号発生ユニットと、該分極分布制御信号を受け取り並びに複数のデータ線で該ディスプレイパネルに連接され、該分極分布制御信号に基づき一組の非周期性配列をこれらデータ線に出力し、これら画素ユニットの分極に非周期性分布を形成させる分極分布データドライバと、を具えている。
【０００９】
本発明のもう一つの特色によると、一種の液晶ディスプレイ駆動方法を提供し、該方法はディスプレイパネル分極制御に用いられ、該ディスプレイパネルは複数の画素ユニットを具え、この方法は、分極分布制御信号を発生するシーケンス発生ステップと、該分極分布制御信号により一組の非周期分極配列を出力する選択ステップと、該非周期分極配列を該ディスプレイパネルに出力し、これにより該ディスプレイパネルの画素ユニットの分極に非周期性配列を形成させると共に、該ディスプレイパネルの表示する複数のフレームを制御する時、そのうち半数のフレームの画素ユニットの分極がもう半数のフレームの画素ユニットの分極と反対となるようにする分極制御ステップと、を具えている。
【００１０】
【実施例】
本発明の好ましい実施例については図３の構造表示図を参照されたい。本発明は、ディスプレイパネル３００、走査ユニット３１０、分極分布制御信号発生（ＰＡＴＧ）ユニット３２０及び分極分布データドライバ（ＰＰＡＤＤ）３３０を構成要件として具えている。そのうち、ディスプレイパネルはさらに複数の画素ユニット３０１を具えている。走査ユニット３１０は複数の走査線３４０で該ディスプレイパネル３００の画素ユニット３０１に連接されている。分極分布データドライバ３３０はデータ線３５０を透過してディスプレイパネル３００の画素ユニット３０１に連接され、該分極分布データドライバ３３０により該画素ユニット３０１の分極が制御される。本実施例では、ディスプレイパネル３００は好ましくは液晶ディスプレイパネルとされ、走査ユニット３１０は好ましくはゲート駆動集積回路とされ、分極分布制御信号発生ユニット３２０は好ましくはソース駆動集積回路或いはシーケンスコントローラとされる。
【００１１】
図４は分極分布データドライバ３３０の詳細な表示図であり、それは複数のサンプリング／保持レジスタ３３１、複数のディジタル・アナログ変換器（ＤＡＣ）３３２、複数の増幅器（ＯＰ）３３３、及び複数の分極セレクタ３３４を具えている。分極分布データドライバ３３０はこれらサンプリング／保持レジスタ３３１によりフレーム中の画素のディジタル信号を暫時保存し、ディジタル・アナログ変換器３３２はこのディジタル信号をアナログのプラス分極とマイナス分極の信号に変換し、さらに増幅器３３３により増強した出力を提供する。そのうち、これら増幅器３３３の出力はプラス分極とマイナス分極信号を含み、この分極セレクタ３３４は複数種類の形態を共有し、異なる形態の分極セレクタ３３４はその分極分布制御信号とその選択する分極に異なる対応関係がある。本実施例ではこれらの形態は好ましくは１６組とされる。
【００１２】
上述の分極セレクタの入力端は直接ディジタル・アナログ変換器３３２の出力端に連接可能であり、これにより先に分極分布制御信号により出力したい分極信号を選択し、さらに対応する増幅器３３３により増幅処理し、一組の非周期性配列をディスプレイパネル３００に出力する。
【００１３】
これら画素ユニット３０１の分極制御に関しては、図３、４、５の表示図及びフローチャートも参照されたい。まず、分極分布制御信号発生ユニット３２０が複数ビットの分極分布制御信号（ＰＡＣ）を発生し、並びにそれを分極分布データドライバ３３０に出力する（ステップＳ６０１）。
【００１４】
分極分布データドライバ３３０が分極分布制御信号を受け取ると、分極分布制御信号により増幅器３３３の出力を選択し（則ちプラス分極信号或いはマイナス分極信号）を選択し、一組の非周期性配列となし、並びにそれをディスプレイパネル３００に送り、当然、フレームに対しては、分極分布データドライバ３３０は複数回の非周期性配列をディスプレイパネルに出力し、そのうち、各一回に出力される非周期性配列は分極分布制御信号の違いによる（ステップＳ６０２）。
【００１５】
ディスプレイパネル３００上のこれら画素ユニット３０１は非周期性配列を受け取り非周期性の分極分布を現出し、且つ分極分布制御信号発生ユニット３２０及び分極分布データドライバ３３０が更にディスプレイパネル３００を制御し、一定時間内に表示する複数のフレームの半数を残りの半数のフレームと分極が相補するようにし、例えば、ディスプレイパネル３００が１０秒以内に２４０個のフレームを表示するなら、１２０個のフレームが残りの１２０個のフレームと分極が相補する状態を呈するようにし、則ち、第１個のフレーム中の全ての画素ユニット３０１の分極が第２個のフレームから第２４０個のフレーム中の一つのフレームの全ての画素ユニット３０１の分極と反対となるようにし、これにより各隣り合うフレームの分極を一回反転させることにより電力消耗の問題を形成するのを防止する（ステップＳ６０３）。
【００１６】
図６、７、８はディスプレイパネル３００の画素ユニット３０１の分極分布表示図であり、これらの画素ユニット３０１は行方向或いは列方向のいずれも非周期性分布を呈し、クロストーク効果を減らし、画像品質を向上する。
【００１７】
以上の実施例は説明のために設けたものに過ぎず、本発明の特許請求の範囲の記載に基づきなしうる細部の修飾或いは改変は、いずれも本発明の請求範囲に属するものとする。
【００１８】
【発明の効果】
本発明は、液晶ディスプレイ装置及びその駆動方法を提供し、それによりクロストーク効果を減らし、画像品質を向上している。
【００１９】
本発明は、液晶ディスプレイ装置及びその駆動方法を提供し、それにより隣り合うフレームエリアの分極反転の状況を減らし、節電の機能を達成する。
【図面の簡単な説明】
【図１】周知のフレームエリアを基礎とする画素ユニット分極制御表示図である。
【図２】周知の行方向ランダム分極分布の表示図である。
【図３】本発明の好ましい実施例の構造表示図である。
【図４】本発明の好ましい実施例の分極分布データドライバ内部表示図である。
【図５】本発明の好ましい実施例の動作フローチャートである。
【図６】本発明の好ましい実施例の画素ユニット分極分布の第１表示図である。
【図７】本発明の好ましい実施例の画素ユニット分極分布の第２表示図である。
【図８】本発明の好ましい実施例の画素ユニット分極分布の第３表示図である。
【符号の説明】
１００、２００、３００  ディスプレイパネル
１１０、１２０、１３０、１４０  フレームエリア
１１１、１１２、１２１、１３１、１４１、１２２  画素
３０１  画素ユニット
３１０  走査ユニット
３２０  分極分布制御信号発生ユニット
３３０  分極分布データドライバ
３３１  サンプリング／保持レジスタ
３３２  ディジタル・アナログ変換器
３３３  増幅器
３３４  分極セレクタ
３４０  走査線
３５０  データ線
【図１】
2004309972.tif 000003
【図２】
2004309972.tif 000004
【図３】
2004309972.tif 000005
【図４】
2004309972.tif 000006
【図５】
2004309972.tif 000007
【図６】
2004309972.tif 000008
【図７】
2004309972.tif 000009
【図８】
2004309972.tif 000010